(57)【要約】【課題】  従来技術の欠点を解消し、紡糸孔の直径が０．０５ｍｍ以下といった孔径の小さい紡糸口金に対しても、十分な洗浄状態を得ることができる紡糸口金の洗浄装置を提供する。【解決手段】  紡糸口金の洗浄装置であって、洗浄流体を加圧する流体加圧装置（１）と、流体加圧装置（１）で加圧された流体を噴射する流体噴射装置（２）と、洗浄すべき紡糸口金（３）を固定する固定装置（４）と、流体噴射装置（２）を洗浄すべき紡糸口金（３）に対して相対的に定置または紡糸口金の口金面に平行な方向に往復運動させる機構を有する駆動位置決め装置（５）とからなる紡糸口金の洗浄装置であって、固定装置（４）が、紡糸口金に加圧された流体が噴射されることにより、紡糸口金の口金面が振動できるように、洗浄すべき紡糸口金（３）を固定する固定装置であることを特徴とする、紡糸口金の洗浄装置である。【選択図】  図１
2008013869.tif 000002
【特許請求の範囲】
【請求項１】
紡糸口金の洗浄装置であって、
洗浄流体を加圧する流体加圧装置（１）と、
流体加圧装置（１）で加圧された流体を噴射する流体噴射装置（２）と、
洗浄すべき紡糸口金（３）を固定する固定装置（４）と、
流体噴射装置（２）を洗浄すべき紡糸口金（３）に対して相対的に定置または紡糸口金の口金面に平行な方向に往復運動させる機構を有する駆動位置決め装置（５）とからなる紡糸口金の洗浄装置であって、
固定装置（４）が、紡糸口金に加圧された流体が噴射されることにより、紡糸口金の口金面が振動できるように、洗浄すべき紡糸口金（３）を固定する固定装置であることを特徴とする、紡糸口金の洗浄装置。
【発明の詳細な説明】
【技術分野】
【０００１】
本発明は、紡糸口金の洗浄装置に関し、より詳しくは、紡糸工程で使用した結果、有機重合体や無機物粒子が付着した紡糸口金の洗浄を、短時間に簡便かつ効率良く行い得る装置に関するものである。
【背景技術】
【０００２】
合成有機重合体から工業的に繊維を製造する湿式紡糸、乾式紡糸、溶融紡糸等の方法において、繊維は紡糸口金組立物の細孔を通して重合体溶液又は溶融重合体を押出すことにより合成有機重合体から形成される。こうした押出操作において、紡糸口金の流路部、特に細孔部は重合体の残渣や無機物粒子が付着し経時的に汚れてくる。このようにして汚れた紡糸口金は、紡糸の連続性及び紡出時の品質に障害を起こすので、使用から除外される。
【０００３】
従来、汚れて使用休止となった紡糸口金の洗浄装置として、高圧洗浄流体による洗浄装置が知られている。
特許文献１には、洗浄流体を加圧する流体加圧装置と、該加圧装置で加圧された流体を噴射する流体噴射装置と、該流体噴射装置を洗浄すべき紡糸口金に対して相対的に定置または移動させる駆動位置決め装置とよりなることを特徴とする、洗浄装置を用いることにより、紡糸口金の洗浄を短時間に簡便かつ効率良く行い、良好な洗浄状態を得ることができると述べられている。
しかし、この装置では、紡糸孔の直径が０．３ｍｍ以上の紡糸口金であれば効果があるが、紡糸孔の直径が０．０５ｍｍ以下といった孔径の小さい紡糸口金に対しては、十分な洗浄状態を得ることができなかった。
【特許文献１】特開平８−２７６１５号公報
【発明の開示】
【発明が解決しようとする課題】
【０００４】
本発明の目的は、上記従来技術の欠点を解消し、紡糸孔の直径が０．０５ｍｍ以下といった孔径の小さい紡糸口金に対しても、十分な洗浄状態を得ることができる紡糸口金の洗浄装置を提供することである。
【課題を解決するための手段】
【０００５】
本発明の紡糸口金の洗浄装置は、紡糸口金の洗浄装置であって、
洗浄流体を加圧する流体加圧装置（１）と、
流体加圧装置（１）で加圧された流体を噴射する流体噴射装置（２）と、
洗浄すべき紡糸口金（３）を固定する固定装置（４）と、
流体噴射装置（２）を洗浄すべき紡糸口金（３）に対して相対的に定置または紡糸口金の口金面に平行な方向に往復運動させる機構を有する駆動位置決め装置（５）とからなる紡糸口金の洗浄装置であって、
固定装置（４）が、紡糸口金に加圧された流体が噴射されることにより、紡糸口金の口金面が振動できるように、洗浄すべき紡糸口金（３）を固定する固定装置であることを特徴とする、紡糸口金の洗浄装置である。
【発明の効果】
【０００６】
本発明により、洗浄流体を加圧する流体加圧装置（１）と、該加圧装置で加圧された洗浄流体を噴射する流体噴射装置と、洗浄すべき紡糸口金が加圧された流体により振動できるように固定する固定装置（４）と、該流体噴射装置を洗浄すべき紡糸口金に対して相対的に定置または紡糸口金の口金面に平行な方向に往復運動させる機構を有する駆動位置決め装置とよりなるので、適切な圧力に加圧された洗浄流体を、洗浄すべき紡糸口金に対して適切な位置となされた流体噴射装置から噴射させ、さらに加圧された流体が噴射されることにより、紡糸口金の口金面を振動させることができる。
【０００７】
このように本発明の装置は、加圧された洗浄流体により紡糸口金の口金面を振動させながら洗浄するものであり、従来の洗浄装置では得られなかった、孔径Φ０．０５ｍｍ以下の紡糸口金に対しても短時間で効率良く良好な洗浄状態を得ることができる。
【発明を実施するための最良の形態】
【０００８】
以下、本発明を詳細に説明する。
『流体加圧装置（１）』
本発明の紡糸口金の洗浄装置において、流体加圧装置（１）は、紡糸口金の口金面上で５０〜１５０ｋｇｆ／ｃｍ２の洗浄流体圧力を得ることができるものであることが好ましい。
この洗浄流体圧力が５０ｋｇｆ／ｃｍ２以上とすることにより、紡糸口金の細孔部の洗浄が十分に行え良好な洗浄状態が得られる。また、逆に１５０ｋｇｆ／ｃｍ２以下の噴射圧力とすれば、紡糸口金に加工処理されているメッキが剥離することを防ぐことができる。
また、噴射ノズルについては噴射口面積が３．５ｍｍ２以下になるように噴射口が配列されたものであることが好ましい。３．５ｍｍ２以下としておけば、洗浄流体の吐出線速度は好ましい範囲に保たれ、十分な洗浄状態が得られるからである。
【０００９】
『紡糸口金の固定装置（４）』
紡糸口金の固定装置（４）は、洗浄すべき紡糸口金の口金面が振動できるように、紡糸口金の端部を把持し、口金面の洗浄流体が噴射される面の裏側に空間を設けた構造のものであることが好ましい。
口金面の洗浄流体が噴射される面の裏側に空間が無く、紡糸口金が加圧された流体により振動できない場合には、洗浄が不十分となる。
【００１０】
『駆動位置決め装置（５）』
駆動位置決め装置（５）については、噴射ノズルと紡糸口金の口金面との距離が３５ｃｍ以下になるように流体噴射装置を保持できるものであることが好ましい。この距離が３５ｃｍ以下としておけば、洗浄流体の拡散はそれほど酷くなく、洗浄状態にばらつきが生じない。
【実施例】
【００１１】
次に本発明の実施例を図面を参照して説明する。
図１は、本発明の紡糸口金の洗浄装置の１例を示す概略図である。
流体加圧装置（１）と流体噴射装置（２）と固定装置（４）と駆動位置決め装置（５）とにより構成されている。
【００１２】
流体加圧装置（１）は、有光工業株式会社製プランジャーポンプ（型式：ＲＧ−７２０ＶＲ）である。この装置は、ポンプ出口に設けられている圧力調整弁により２００ｋｇｆ／ｃｍ２までの範囲で任意の値の噴射圧力を得ることができるものである。
【００１３】
流体加圧装置（１）に送られる流体（水）は、水槽（６）からフィルター（７）に、それぞれ導管（８ａ）（８ｂ）を通る。
導管（８ｄ）は戻り水の為の余水ホースである。
流体噴射装置（２）である噴射ノズルは、噴射口面積が３．５ｍｍ２以下になるように噴射口が配列されたものであり、圧力調整弁（９）と導管（８ｃ）により連結されている。
【００１４】
紡糸口金の固定装置（４）は、洗浄すべき紡糸口金の口金面が振動できるように、紡糸口金の端部を把持し、口金面の洗浄流体が噴射される面の裏側に空間を設けた構造のものである。
駆動位置決め装置（５）は、流体噴射装置（２）である噴射ノズルを洗浄すべき紡糸口金（３）に対して相対的に定置または紡糸口金の口金面に平行な方向に往復運動させることができ、噴射ノズルと紡糸口金の口金面との距離を任意の値に調整できるものである。
【００１５】
上記装置の動作を説明する。
水槽（６）中の洗浄水が、導管（８ａ）を通して、フィルター（７）で濾過されて流体加圧装置（１）に供給される。洗浄水は、流体加圧装置（１）で加圧され、圧力調整弁で任意の値に調整されて、導管（８ｃ）を通して、噴射ノズル（２）から高圧の噴流となって洗浄すべき紡糸口金（３）に向かって噴射される。
【００１６】
次に、上記装置を用いた洗浄方法を実施例、従来の洗浄方法を比較例として説明する。
アクリロニトリル系共重合体を、ジメチルアセトアミドに溶解して紡糸原液（重合体濃度２１質量％、原液温度６０℃）とし、同紡糸原液を、温度３８℃、濃度６７質量％のジメチルアセトアミド水溶液中に凝固させる条件で約５００時間紡糸したＳＵＳ３１６ステンレス製の紡糸口金（孔径Φ０．０５ｍｍ、孔数１２０００）各１０枚について、以下に示す条件で洗浄試験を行った。
なお、紡糸口金は紡糸パック分解後、約１００℃に加熱したジメチルアセトアミド液中で３時間浸漬溶解し、その後超音波洗浄を３０分行ったものを洗浄している。
【００１７】
（実施例）
図１の装置を用いて、加圧された洗浄流体により紡糸口金の口金面を振動させられるように口金面裏側に空間を設けるように固定し、噴射ノズルから２０Ｌ／分の流量で、紡糸口金の吐出面上での圧力が１００ｋｇｆ／ｃｍ２の噴流を、噴射ノズルと紡糸口金の口金面（吐出面）との距離が３０ｃｍで、６０秒間噴射し洗浄した。
次に紡糸口金を裏返して吐出面の裏面を同様の方法で洗浄した後、乾燥した。
【００１８】
（比較例）
図１の装置を用いて、紡糸口金を加圧された洗浄流体により振動させないように口金面の裏側に空間を設けずに固定する以外は、実施例１と同じ条件で洗浄した。
前記洗浄試験を行った紡糸口金をマイクロスコープを用いて２００倍に拡大して観察し、残存物（有機重合体や無機物粒子）により紡糸孔がほぼ完全に閉塞している紡糸孔（図２（A））の数（ａ）と、
完全に閉塞してはいないが残存物が紡糸孔内に残っている紡糸孔（図２（B））の数（ｂ）と
を計数した。結果を表１に示した。
【００１９】
【表１】
2008013869.tif 000003
【図面の簡単な説明】
【００２０】
【図１】本発明の紡糸口金の洗浄装置の１例を示す概略図である。
【図２】不十分な洗浄状態の紡糸孔を示す概略図である。
【符号の説明】
【００２１】
１        流体加圧装置
２        流体噴射装置
３        紡糸口金
４        固定装置
５        駆動位置決め装置
６        水槽
７        フィルター
８ａ〜ｄ  導管
９        圧力調整弁
１０        紡糸孔
１１        残存物
【図１】
2008013869.tif 000004
【図２】
2008013869.tif 000005